(57)【要約】 【課題】出力が大きい４００ｎｍ付近の大電流駆動レーザーダイオードの高周波重畳駆動時の重畳効果のバラツキを抑えて安定性を損なうことなく確実に重畳効果を得ること。【解決手段】制御部８は、標準レーザーダイオードのΔＩｏｐ設定値（重畳発光のピークパワーが3.5倍となる値）となるように高周波重畳電流を調整した後、使用するレーザーダイオードＬＤのＩｔｈ電流値と標準レーザーダイオードのＩｔｈとの差分電流を求め、この差分電流に補正係数を掛けた高周波重畳電流を前記調整した高周波重畳電流に加減算する事で、高周波発振回路４から出力回路１への高周波重畳レベルの調整を行っている。【選択図】図１
2008071447.tif 000002
【特許請求の範囲】
【請求項１】
光ディスク再生装置の再生時に、レーザーダイオードを駆動する電流に高周波重畳する際の高周波重畳レベルの設定方法であって、
標準のレーザーダイオードの高周波重畳時の発光ピークパワーが所定倍となるようなΔＩｏｐが得られるように高周波重畳電流レベルを調整した後、使用するレーザーダイオードのＩｔｈと前記標準のレーザーダイオードのＩｔｈを測定して両Ｉｔｈ電流値の差分電流値を求め、この差分電流値に補正係数を掛けた電流を前記調整して得た高周波重畳電流レベルに加減算して前記使用するレーザーダイオードの高周波重畳電流レベルとすることを特徴とする高周波重畳レベルの設定方法。
【請求項２】
前記所定倍数は３．５倍前後であることを特徴とする請求項１記載の高周波重畳レベルの設定方法。
【請求項３】
レーザーダイオードから発光するレーザーをディスクに照射することによってデータの記録再生を行うディスク再生装置であって、
再生時にレーザーダイオードを駆動する電流に高周波重畳する際の高周波重畳レベルの設定は、標準のレーザーダイオードの高周波重畳時の発光のピークパワーが所定倍となるようなΔＩｏｐが得られるように高周波重畳電流レベルを調整した後、使用するレーザーダイオードのＩｔｈと前記標準のレーザーダイオードのＩｔｈを測定して両Ｉｔｈ電流値の差分電流値を求め、この差分電流値に補正係数を掛けた電流を前記調整して得た高周波重畳電流レベルに加減算して前記使用するレーザーダイオードの高周波重畳電流レベルとすることを特徴とするディスク再生装置。
【請求項４】
前記レーザーダイオードは、ブルーレイディスク記録再生用のレーザーダイオードであることを特徴とする請求項３記載のディスク再生装置。
【発明の詳細な説明】
【技術分野】
【０００１】
本発明は、ディスクにレーザー光を照射してデータを再生するディスク再生装置に係り、特に再生時にレーザーダイオードを駆動する電流に重畳する高周波電流レベルの設定方法に関する。
【背景技術】
【０００２】
ディスク記録再生装置はレーザーダイオード(ＬＤ)から出射されるレーザー光をディスクに照射してデータの記録再生を行う。通常、書き込み時はレーザーダイオードをＤＣ駆動するが、再生時に高周波重畳駆動して戻り光や、ＬＤ温度変化による波長飛びでのノイズの増大を抑制している（例えば特許文献１参照）。  
【０００３】
ディスク再生装置の再生時に用いるＬＤの従来の高周波重畳レベルの設定には、光発信器（ＯＳＣ）による観測調整ではなく、図１０のように高周波重畳オン/オフで変化するＩＬ特性のＬＤ駆動電流の直流分の差分電流による間接調整方法が使われている。この差分電流は、ＬＤの使用動作点ではΔＩｏｐ、Iｔｈ付近ではΔＩｔｈと呼ばれる。高周波重畳は発光スペクトラムを拡散して、戻り光や波長飛びを抑制するもので、そのレベルは大きい方が効果は大きい。しかし、４００ｎｍのレーザーを用いるブルーレイディスク装置では光のエネルギーが高い為、ピークパワーを大きくすると再生時に記録したデータを劣化させてしまい、安定性（stability）を損なってしまう。ブルーレイディスク（400nm disc）の規格では、前記ピークパワーは再生平均パワーの７倍以下となっている。
【特許文献１】特開２０００−１４９３０２号公報
【発明の開示】
【発明が解決しようとする課題】
【０００４】
ところで、４００ｎｍ ＬＤの出力が５０ｍＷ（pulse）と小さいうちは、Ｉｔｈは小さくそのバラツキも小さいためΔIopの固定調整で設計仕様を満足していた。ここへ来て、2層ディスクの記録が要求され、ＬＤの出力が１５０ｍＷ（pulse）となり、図１１の様に１５０ｍＷのＬＤでは５０ｍＷのＬＤに比べてＩｔｈは大きくなり、そのバラツキも大きくなってきている。その結果、固定調整では重畳効果がバラツキ、ピークパワーの倍数は図１２の様に２〜５倍となって重畳の掛らない物が出てきてしまい、新たな調整方法が求められてきている。
【０００５】
本発明は前記事情に鑑み案出されたものであって、本発明の目的は、出力が大きい４００ｎｍ付近の大電流駆動レーザーダイオードの高周波重畳駆動時の重畳効果のバラツキを抑え、安定性を損なうことなく確実に重畳効果を得ることができる高周波重畳レベルの設定方法並びにこの設定方法を用いたディスク再生装置を提供することにある。
【課題を解決するための手段】
【０００６】
本発明は上記目的を達成するため、光ディスク再生装置の再生時に、レーザーダイオードを駆動する電流に高周波重畳する際の高周波重畳レベルの設定方法であって、標準のレーザーダイオードの高周波重畳時の発光ピークパワーが所定倍となるようなΔＩｏｐが得られるように高周波重畳電流レベルを調整した後、使用するレーザーダイオードのＩｔｈと前記標準のレーザーダイオードのＩｔｈを測定して両Ｉｔｈ電流値の差分電流値を求め、この差分電流値に補正係数を掛けた電流を前記調整して得た高周波重畳電流レベルに加減算して前記使用するレーザーダイオードの高周波重畳電流レベルとする。
【０００７】
これにより、高周波重畳の発光ピークパワー倍率のバラツキを押さえ、戻り光の影響を排除し、且つpeaピークパワーを最小限とする事でリードスタビリティーを確保することができる。
【発明の効果】
【０００８】
標準レーザーダイオードのΔＩｏｐ（重畳発光のピークパワーが3.5倍となる値）設定値を得るように高周波重畳レベルを調整した後、使用するレーザーダイオードのＩｔｈ電流値と標準レーザーダイオードのＩｔｈとの差分電流を求め、この差分電流に補正係数を掛けて得た高周波重畳電流を前記調整して得た高周波重畳電流レベルに加減算する事で、高周波重畳レベルの調整を行っているため、出力が大きい４００ｎｍ付近の大電流駆動レーザーダイオードの高周波重畳駆動時の重畳効果のバラツキを抑え、安定性を損なうことなく確実に重畳効果を得ることができる。
【発明を実施するための最良の形態】
【０００９】
以下、本発明の実施の形態を図面に基づいて詳細に説明する。
（実施例１）
図１は、本発明の第１の実施形態に係る高周波重畳レベルの設定方法を説明するためのレーザー駆動回路の構成を示した回路図である。レーザー駆動回路は、レーザーダイオードＬＤを駆動する出力回路１、出力回路１にドライブ電流を与える電流スイッチ回路２、電流スイッチ回路２のドライブ電流を制御するレーザーパワー制御回路３、高周波電流を電流スイッチ回路２に出力する高周波発振回路４、レーザーダイオードＬＤの発光パワーを記憶するレーザーパワーメモリ５、レーザーパワーメモリ５から読み出したパワー値をアナログ信号に変換してレーザーパワー制御回路３に与えるＤ/Ａ変換回路6、制御部８からの指示に従って回路の状態を示す各種値を保持する状態保持回路7、高周波重畳レベル調整時の制御を行う制御部８を有して構成されている。
【００１０】
次に本実施形態の高周波重畳レベル調整時の動作について説明する。制御部８により駆動回路が読み出しモードとなると、レーザーパワーメモリ５からリードパワーデータが出力され、それがＤ/Ａ変換回路６によりアナログ値となってレーザーパワー制御回路３の基準値（ＲＥＦ）として与えられる。レーザーパワー制御回路３は、フロントモニターフォトダイオードＦＦＤからのレーザーダイオードＬＤの実際の発光出力に対応したモニター信号を入力し、これと前記ＲＥＦとの誤差信号が０になるようなドライブ信号を電流スイッチ回路２を通して出力回路１に出力する。出力回路１は入力されるドライブ信号を電流増幅してレーザーダイオードＬＤに出力する。レーザーダイオードＬＤの発光出力はＦＦＤでモニターされて、前記モニター信号となってレーザーパワー制御回路３にフィードバックされる。このフィードバックループによりモニター信号がＲＥＦになるようにレーザーダイオードＬＤの発光出力が調整される。
【００１１】
その後、制御部８は高周波発振回路４のレベルを変化させながら高周波電流をオン/オフし、出力回路１の電流をモニターする。制御部８は高周波発振回路４のオンオフ毎の電流値を取り込み、オンオフ時の電流差分（ΔIop）を設定値することによって、レーザーダイオードＬＤの駆動電流に重畳する高周波電流重畳レベルを最適値に設定する。
【００１２】
ここで、上記高周波重畳レベルの調整法について説明する。本方法は間接調整法の利点を生かし、レーザーダイオードＬＤのバラツキによるピークパワーレベルを補正しようと
するもので、レーザーダイオードＬＤのＩｔｈとΔＩｏｐに相関関係がある事に着目し、Ｉｔｈに対するΔＩｏｐの補正式に乗っ取って重畳レベルの調整を行うものである。補正式は、使用するＩｔｈの異なった多数のレーザーダイオードにおいて、ピークパワーレベルの倍数が3.5となるΔＩｏｐを測定し、このΔＩｏｐ に基づいて、レーザーダイオードの重畳レベル補正式を作る。
【００１３】
図２は、高周波重畳によるΔＩｏｐの発生を説明するもので、本来の高周波重畳波は正弦波であるが矩形波としてある。ＤＣ発光では、Ｉｏｐ(mA)を与えＲｐ(read パワー)を得る。発光時はＤＣ点灯の２倍強で発光し、発光停止時にはＩｔｈより小さくなる５０％の矩形波で駆動すると、発光の平均パワーはＤＣ発光と同じとなり、平均電流はΔＩｏｐだけ小さくなる。つまり、Ｉｔｈ以下の電流は発光に対して無効な電流でありＩｏｐを低減できる事となる。言い換えれば、ＩＬの非線形部を利用するとΔＩｏｐを発生する。
【００１４】
図３は大出力レーザーの低出力部のＩＬ特性を示した特性図である。図のＡ，Ｂ，Ｃの比較から判るように、低出力部のＩＬはＩｔｈの増加に従って非線形部が大きくなって行く傾向にある。Ａ部、Ｃ部のＬＤの変調特性にＩＬカーブを追加したもので、変調正弦波はこの様なILカーブと乗算したものとなる。Ｃ部のＬＤでは、ＬＤ発光領域でも大きなΔＩｏｐを発生する。
【００１５】
図４はΔＩｏｐで高周波重畳レベルを設定した時の高周波重畳電流で、ΔＩｏｐ＝０．４ｍＡとしたときのＩｔｈの異なるＬＤの高周波重畳電流を測定した場合の特性図である。同じΔＩｏｐ:０．４ｍＡを発生する高周波重畳電流はＩｔｈの大きなＬＤ程減少する。
【００１６】
図５は発光のピークパワーが４倍となる時の高周波重畳電流を測定した場合の特性図である。高周波重畳電流で見ると、出力パワーに依存するが、ほぼ一定となるので、定電流でよいことがわかる。
【００１７】
図６は重畳レベルの設定方法を説明するもので、同一のピークパワーを発生させる重畳レベルの設定は、図に示すごとく、ΔＩｏｐ=０．４ｍＡの設定電流に補正電流を加減算すればよい事が判る。
【００１８】
上記検討から、補正を１５ｍＶ／ｍＡ（ΔIth）とした場合、ピークパワーは大体3倍〜4.5倍に収まっていて、Ｉｔｈ=５０ｍＡでも緩和振動を十分検知できる波形となっていることが測定の結果判っている。これにより、戻り光の影響も受けず、リード時の安定性（read stability）も確保される。Ｉｔｈ=４０ｍＡを原点とした補正なので、Ｉｔｈ=４０ｍＡより小さいと、負補正で振幅が小さくなり、大きいと正補正で大きくなる。
【００１９】
以上の様に、高周波重畳時のピークパワーを管理するには、ＬＤに流れる高周波重畳電流を管理すれば良いが、実際の光ピックアップでは、周波数減衰とバラツキを伴うので現実には不可能である。ΔＩｏｐでの調整はこれらの要因を含めた結果での調整方法であり、なんらかの形で補正が出来れば、ピーク パワーを管理できる事となる。図７、８は、１５ｍＶ（ＳＧ補正レベル）／ｍＡ（ΔＩｔｈ）の補正を行った測定データをまとめたもので、ピークパワーはかなり改善されている。特に図８はこの時同時に測定したΔＩｏｐで補正した高周波重畳電流は、ΔＩｏｐの多項式に整合している。従って、過補正にならないためには、6.5ｍＷのΔＩｏｐ／Ｉｔｈを設定目標値とすれば良い。こうすれば、伝送系やＬＤの周波数特性を含んだ調整となる。
【００２０】
ΔＩｏｐ設定値  ＝ 0.00186X2−0.1217X−2.2813
【００２１】
なお、高周波重畳は深く掛けた方が戻り光にたいする抑制は強いが、４００ｎｍ ＬＤの場合いＲＩＮが-１２５ｄＢと大きいため、あるレベル以上の重畳はノイズに埋もれて無意味となり、且つリードスタビリティーを損なう原因となっている。以下種々の測定結果3.5倍程度で十分な事が判った。    
【００２２】
本実施形態によれば、標準レーザーダイオードのΔＩｏｐ（重畳発光のピークパワーが3.5倍となる値）設定値を得るように高周波重畳レベルを調整した後、使用するレーザーダイオードのＩｔｈ電流値と標準レーザーダイオードのＩｔｈとの差分電流を求め、この差分電流に補正係数を掛けて得た高周波重畳電流を前記調整して得た高周波重畳電流レベルに加減算する事で、高周波重畳レベルの調整を行っているため、高周波重畳の発光ピークパワー倍率のバラツキを押さえ、戻り光の影響を排除し、且つピークパワーを最小限とする事でリードスタビリティーを確保することができる。
（実施例２）
【００２３】
図９は、本発明の第２の実施形態に係るディスク記録再生装置の構成を示した部分概略ブロック図である。ディスク記録再生装置は、レーザー駆動回路（ＬＤドライバ）１１から出力されるレーザーダイオード駆動ＤＣ電流に高周波発信器１２から出力される高周波電流を重畳し（再生時のみ）、この高周波電流重畳ＤＣ電流によりレーザーダイオードＬＤを駆動する。書き込み時はレーザー駆動回路１１により別途与えられる書き込み信号を増幅し、これをレーザーダイオードＬＤに出力することによりブルーレイディスクに書き込みが行われる。このレーザーダイオードＬＤより発光されたレーザー光の一部はフォトダイオードＰＤにより受光され、その受光電流がＡＰＣエラーアンプ１３に入力される。ＡＰＣエラーアンプ１３はＬＤの受光平均パワーが所定の設定値となるようにレーザー駆動回路１１の出力を制御する。レーザーダイオードＬＤから出力されたレーザーダイオードが図示されない光学系を通して図示されないディスクに照射され、データの記録再生が行われるが、データの記録再生系は周知の回路であるため、図示は省略した。
【００２４】
本実施形態によれば、レーザーダイオードＬＤがブルーレイディスク用でその発光パワー大きな場合でも、第1の実施形態の高周波重畳レベルの調整方法を採ることにより、高周波重畳駆動時の重畳効果のバラツキを抑えて安定性を損なうことなく確実な高周波重畳効果を得ることができる。
【００２５】
尚、本発明は上記実施形態に限定されることなく、その要旨を逸脱しない範囲において、具体的な構成、機能、作用、効果において、他の種々の形態によっても実施することができる。
【図面の簡単な説明】
【００２６】
【図１】本発明の第１の実施形態に係る高周波重畳レベルの設定方法を説明するためのレーザー駆動回路の構成を示した回路図である。
【図２】高周波重畳によるΔＩｏｐの発生を説明する図である。
【図３】大出力レーザーの低出力部のＩＬ特性を示した特性図である。
【図４】Ｉｔｈの異なるＬＤの重畳電流を測定した場合の特性図である。
【図５】発光のピークが４倍となるＬＤの重畳電流を測定した場合の特性図である大出力レーザーの低出力部のＩＬ特性を示した特性図である。
【図６】重畳レベルの設定方法を説明する図である。
【図７】１５ｍＶ（ＳＧ補正レベル）／ｍＡ（ΔIth）の補正を行った測定データをまとめた図である。
【図８】１５ｍＶ（ＳＧ補正レベル）／ｍＡ（ΔIth）の補正を行った測定データをまとめた図である。
【図９】本発明の第２の実施形態に係るディスク記録再生装置の構成を示した部分概略ブロック図である。
【図１０】高周波重畳とＩＬ特性を示した特性図である。
【図１１】レーザーダイオードＬＤの出力パワーに対するＩｔｈとバラツキ傾向例を示した図である。
【図１２】高周波重畳発光波形の大小の例（ΔIop=0.4mA時）を示した特性図である。
【符号の説明】
【００２７】
1……出力回路、２……電流スイッチ回路、３……レーザーパワー制御回路、４……高周波発振回路、５……レーザーパワーメモリ、６……Ｄ/Ａ変換回路、７……状態保持回路、８……制御部。
【図１】
2008071447.tif 000003
【図２】
2008071447.tif 000004
【図３】
2008071447.tif 000005
【図４】
2008071447.tif 000006
【図５】
2008071447.tif 000007
【図６】
2008071447.tif 000008
【図７】
2008071447.tif 000009
【図８】
2008071447.tif 000010
【図９】
2008071447.tif 000011
【図１０】
2008071447.tif 000012
【図１１】
2008071447.tif 000013
【図１２】
2008071447.tif 000014